(57)【要約】【課題】  糊付けや係合等の複雑な加工を行うことなく、簡易に組み立てることが可能なボトルネッカーを提供する。【解決手段】  第１用紙片１〜第４用紙片４が、折線Ａ〜折線Ｃを介して連接して短冊状に形成され、第１用紙片１と折線Ｅ、折線Ｆを介して、第１吊り下げ片５、第２吊り下げ片６が連接されており、第１吊り下げ片５、第２吊り下げ片６には、容器の首部に装着するための第１装着孔５ａ、第２装着孔５ｂが、端辺５ｃと第１装着孔５ａ間の距離と、端辺６ｃと第２装着孔６ａ間の距離とがほぼ同一になる位置に形成されており、第１用紙片から第４用紙片に連続して設けられた折線Ｄから、端辺５ｃまでの距離と、端辺６ｃまでの距離が異なるように形成されている。【選択図】  図１
2005025143.tif 000002
【特許請求の範囲】
【請求項１】
第１用紙片から第ｎ用紙片が折線を介して連接して短冊状に形成され、前記第１用紙片と折線を介して、それぞれ逆方向に第１吊り下げ片、第２吊り下げ片が連接されてなるボトルネッカーであって、
前記第１吊り下げ片、第２吊り下げ片には、容器の首部に装着するための第１装着孔、第２装着孔が、前記第１吊り下げ片における折線と第１装着孔間の距離と、前記第２吊り下げ片における折線と第２装着孔間の距離とを異ならせた位置に形成されてなることを特徴とするボトルネッカー。
【請求項２】
前記第１用紙片から一方向に第ｎ用紙片が連接されていることを特徴とする請求項１に記載のボトルネッカー。
【請求項３】
前記第１用紙片から、互いに異なる方向に複数の第ｎ用紙片が連接されていることを特徴とする請求項１に記載のボトルネッカー。
【請求項４】
前記第１紙片と前記第ｎ紙片を連接する折線に沿う方向の前記第１紙片の長さが、当該方向の前記第ｎ紙片の長さよりも長いことを特徴とする請求項１から請求項３のいずれかに記載のボトルネッカー。
【発明の詳細な説明】
【技術分野】
【０００１】
本発明は、容器に装着して、宣伝、広告用に使用するためのボトルネッカーに関する。
【背景技術】
【０００２】
従来より、瓶、ペットボトルその他の容器等に吊り下げて、製品の販売促進のための宣伝、キャンペーンを行うボトルネッカーが利用されている（例えば、特許文献１参照）。
【特許文献１】特開２０００−４７５８４号公報  しかしながら、従来のボトルネッカーは、糊付け加工が必要であったり、切り込み部や差し込み部を設けておいて互いに係合させる等、その組み立てが複雑であるという問題がある。
【発明の開示】
【発明が解決しようとする課題】
【０００３】
上記のような点に鑑み、本発明は、糊付けや係合等の複雑な加工を行うことなく、簡易に組み立てることが可能なボトルネッカーを提供することを課題とする。
【課題を解決するための手段】
【０００４】
上記課題を解決するため、本発明では、ボトルネッカーを、第１用紙片から第ｎ用紙片（ｎ≧２）が折線（Ｃ）を介して連接して短冊状に形成され、第１用紙片と折線（Ｅ，Ｆ）を介して、それぞれ逆方向に第１吊り下げ片、第２吊り下げ片が連接された構成とし、第１吊り下げ片、第２吊り下げ片には、容器の首部に装着するための第１装着孔、第２装着孔が、第１吊り下げ片における折線（Ｅ）と第１装着孔間の距離と、第２吊り下げ片における折線（Ｆ）と第２装着孔間の距離とを異ならせた位置に形成されてなるように構成したことを特徴とする。
【発明の効果】
【０００５】
本発明のボトルネッカーによれば、第ｎ用紙片（ｎ＝２，３，４）を折り込んだ後、第１用紙片を折り曲げ、２つの装着孔を合わせて容器に装着するので、２つの吊り下げ片が容器の首部で固定されることになり、ボトルネッカーの組み立てに糊付けや係合等の複雑な加工を行う必要がない。また、２つの装着孔の位置を合わせた際、第１用紙片上の折線（Ｅ、Ｆ）から各装着孔までの距離に差ができるため、折り込んだ第ｎ用紙片の収納が容易になる。
【発明を実施するための最良の形態】
【０００６】
以下、本発明の好適な実施形態について、図面を参照して詳細に説明する。
（第１の実施形態）
図１は、本発明に係るボトルネッカーの第１の実施形態を示す展開表面図である。図１において、１は第１用紙片、２は第２用紙片、３は第３用紙片、４は第４用紙片、５は第１吊り下げ片、６は第２吊り下げ片、Ａ〜Ｆは折線である。図１の展開図で示すボトルネッカー１０は、１枚の用紙で形成されており、第１用紙片１から折線Ｃ、折線Ｂ、折線Ａを介して、一方向に第２用紙片２、第３用紙片３、第４用紙片４が連接されている。また、第１用紙片１には、折線Ｅを介して第１吊り下げ片５、折線Ｆを介して第２吊り下げ片６がそれぞれ連接されている。
【０００７】
第１吊り下げ片５、第２吊り下げ片６には、それぞれ容器の首部に吊り下げるための第１装着孔５ａ、第２装着孔６ａが設けられている。第１装着孔５ａと第２装着孔６ａの大きさははぼ同一に形成されている。装着孔５ａ、６ａの周囲には、それぞれ４箇所の切り込み５ｂ、６ｂが設けられている。この切り込み５ｂ、６ｂは、容器の首部の大きさが装着孔５ａ、６ａとほぼ等しい場合に、装着を容易にすると共に、装着後に、ボトルネッカーが上下に移動しないように固定するために利用される。５ｃ、６ｃは、第１吊り下げ片５、第２吊り下げ片６の折線Ｅ、折線Ｆと反対側の端辺を示している。
【０００８】
図２は、図１における第１吊り下げ片５、第２吊り下げ片６部分の拡大図である。図２において、Ｌ１は、折線Ｅから第１装着孔５ａまでの距離を示しており、Ｌ２は、折線Ｆから第２装着孔６ａまでの距離を示している。Ｌ１はＬ２より大きくなっており、この特徴により、ボトルネッカーを組み立てて容器に装着した際に、第２用紙片２から第４用紙片４を収納することが容易になる。また、Ｌ３は端辺５ｃから第１装着孔５ａまでの距離、および端辺６ｃから第２装着孔６ａまでの距離を示している。すなわち、端辺５ｃから第１装着孔５ａまでの距離と、端辺６ｃから第２装着孔６ａまでの距離がＬ３で同一であることを示している。Ｌ４は折線Ｅから端辺５ｃまでの長さを示しており、Ｌ５は折線Ｆから端辺６ｃまでの長さを示しているが、上述のように第１装着孔５ａと第２装着孔６ａの大きさははぼ同一であるので、Ｌ４はＬ５より長くなっている。具体的には、Ｌ４−Ｌ５＝Ｌ１−Ｌ２の関係となっている。
【０００９】
第２用紙片２から第４用紙片４の幅（折線Ｄに沿う方向）は、第１用紙片１の幅に比べて短くなっている。これは、折線Ａ〜折線Ｃで折って、第２用紙片２から第４用紙片４を巻き込んだ際に、第２用紙片２から第４用紙片４が第１用紙片１の外側にはみ出さないようにするためである。また、折線Ａ〜折線Ｃで折って、第２用紙片２から第４用紙片４を巻き込むために、第２用紙片２〜第４用紙片４の幅も若干異ならせてあり、第２用紙片２の幅が一番大きく、次に第３用紙片３の幅が大きく、第４用紙片４の幅が一番小さくなっている。また、第２用紙片２〜第４用紙片４の長さ（折線Ａ、Ｂ、Ｃに沿う方向の長さ）は、図１からわかるように、互いに同一となっているが、第１用紙片１の長さよりも若干短くなっている。具体的には、図２に示すように、折線Ｄを介した図面上側では、Ｌ６分短くなっており、折線Ｄを介した図面下側では、Ｌ７分短くなっている。なお、Ｌ６はＬ７より長くなっている。第１用紙片１が、第２用紙片２〜第４用紙片４の長さよりも長くなっているのは、第２用紙片２〜第４用紙片４を折り畳んだときに、この３枚分の厚みにより、折線Ｅ、折線Ｆによる折り曲げができなくなるのを防ぐためである。特に、本実施形態では、図１、図２に示した状態から、折線Ｃ、折線Ｅを山折りし、折線Ｆを谷折するため、折り畳んだ第２用紙片２側に折り曲げることになる折線Ｅ側のＬ６を、折線Ｆ側のＬ７より大きくしているのである。
【００１０】
図１に示した１枚の用紙を折り曲げて、ボトルネッカーを作成する工程について説明する。まず、図３に示すように、折線Ａを山折して、第４用紙片４を、第３用紙片３に重ね合わせる。次に、図４に示すように、折線Ｂを山折して、第３用紙片３および第４用紙片４を、第２用紙片２に重ね合わせる。さらに、図５（ａ）に示すように、折線Ｃを山折して、第２用紙片２、第３用紙片３、第４用紙片４を、第１用紙片１に重ね合わせる。折線Ａ〜折線Ｃを順に折り曲げた結果、正面から見ると、図５（ｂ）に示すように、第２用紙片２〜第４用紙片４が第１用紙片１に隠れた状態となる。
【００１１】
ここから、さらに図６、図７に示すように、折線Ｄ、折線Ｅで山折すると共に、折線Ｆで谷折する。そして、第１吊り下げ片５の端辺５ｃと、第２吊り下げ片６の端辺６ｃが一致するようにして第１装着孔５ａと第２装着孔６ａの位置を合わせ、装着孔５ａ、６ａに容器２０の首部２１を通すことにより、ボトルネッカー１０を容器２０に装着する。このようにして容器２０にボトルネッカー１０が装着された状態を図８に示す。このように、本発明のボトルネッカーは、１枚の用紙から折加工を行うだけで簡易に作成して装着することができる。なお、図８においては、図が繁雑になるのを避けるため、切り込み５ｂは省略してある。
【００１２】
上述のように、本発明のボトルネッカーは、折線Ｅから第１装着孔５ａまでの長さと、折線Ｆから第２装着孔６ａの長さが異なるため、折線Ｄで２つ折した時に、第２紙片２〜第４紙片４を第１紙片１の内側に収納し易くなっている。具体的には、本実施形態では、折線Ｄから第１装着孔５ａまでの長さは、折線Ｄから第２装着孔６ａまでの長さよりも（Ｌ１＋Ｌ６）−（Ｌ２＋Ｌ７）だけ長くなっている。ここで、図５（ｂ）に示した状態から、折線Ｄで２つ折した場合の外観図を図９に示す。図９（ｂ）は、図９（ａ）に示すように、折線Ｄのみで山折りした後、重ねた状態で、第１吊り下げ片５側から見た状態を示しており、点線は、第１吊り下げ片５および第１用紙片１に隠れた第２吊り下げ片６を示している。図９から明らかなように、折線Ｆ、第２装着孔６ａ、端辺６ｃは、それぞれ折線Ｅ、第１装着孔５ａ、端辺５ｃの下側に位置している。このように、折線Ｄの両側で長さが異なるため、第１装着孔５ａと第２装着孔６ａの位置を合わせて容器に装着することにより、第１用紙片１を折り畳んだ際に、空間ができ、第２紙片２〜第４紙片４の収納が容易になるのである。
（第１の実施形態の具体的な例）
続いて、第１の実施形態の具体的な例について説明する。図１０に具体的な例を示す。図１０の例では、第２用紙片２〜第４用紙片４の３つの用紙片でハガキ大の大きさとしており、その表面には、切手貼り付け欄やキャンペーンの応募の宛先等が印刷されている。また、第２用紙片２〜第４用紙片４の裏面には、例えば、応募券の貼り付け欄を設けることができる。なお、表面と裏面の印刷は、逆にして、表面に応募券の貼り付け欄を印刷し、裏面に切手貼り付け欄やキャンペーンの応募の宛先等を印刷するようにしても良い。折線Ｃには、切り取り線である旨の印刷を施しておき、消費者がハサミ等で折線Ｃからハガキを切り取るようにしても良い。また、折線Ｃをミシン目で形成しておき、消費者が容易に切り取り可能にしておいても良い。第１用紙片１の表面は、ボトルネッカーとして容器に装着されている際に、外側から見える部分であるので、消費者に最もアピールしたい内容を印刷しておく。
（第２の実施形態）
図１１は、本発明に係るボトルネッカーの第２の実施形態を示す展開表面図である。図１と比較するとわかるように、第１の実施形態では、第１用紙片１から見て全て同一の方向（図面右方向）に第ｎ用紙片（第２用紙片２〜第４用紙片４）が設けられていたが、第２の実施形態では、異なる方向（第２用紙片２、第３用紙片３は図面右方向、第４用紙片４は図面左方向）に設けられている点が異なる。このように、第ｎ用紙片が、第１用紙片１から見て互いに異なる方向に設けられていても良い。
【００１３】
以上、本発明の好適な実施形態について説明したが、本発明は、上記実施形態に限定されず、種々の変形が可能である。例えば、上記実施形態では、容器の首部に容易に装着するために、装着孔の周囲に４つの切り込みを設けたが、これは必ずしも設ける必要はない。また、上記実施形態では、端辺から装着孔までの長さをＬ３とし、両吊り下げ片において同一としたが、両吊り下げ片の端辺を揃えないのであれば、必ずしも同じ長さとする必要はない。ただし、両吊り下げ片の端辺を揃えた方が、見た目に美しく、好ましい。また、上記実施形態では、第ｎ用紙片として第２用紙片から第４用紙片が設けられた場合について説明したが、これらの第ｎ用紙片は第１用紙片以外に１枚以上存在すれば、何枚であっても良い。
【図面の簡単な説明】
【００１４】
【図１】本発明に係るボトルネッカーの第１の実施形態を示す展開表面図である。
【図２】図１における第１吊り下げ片５、第２吊り下げ片６部分の拡大図である。
【図３】折線Ａを山折して、第４用紙片４を第３用紙片３側に折り曲げた状態を示す図である。
【図４】折線Ｂを山折して、第３用紙片３および第４用紙片４を、第２用紙片２側に折り曲げた状態を示す図である。
【図５】折線Ｃを山折して、第２用紙片２、第３用紙片３、第４用紙片４を、第１用紙片１側に折り曲げた状態を示す図である。
【図６】図５に示した状態の後、折線Ｄ、折線Ｅで山折すると共に、折線Ｆで谷折した状態を示す図である。
【図７】図６に示した状態の後、折線Ｄ、折線Ｅ、折線Ｆでさらに折り曲げた状態を示す図である。
【図８】容器２０にボトルネッカー１０が装着された状態を示す図である。
【図９】図５（ｂ）に示した状態から、折線Ｄで２つ折した場合の外観図である。
【図１０】本発明のボトルネッカーのより具体的な例を示す図である。
【図１１】本発明に係るボトルネッカーの第２の実施形態を示す展開表面図である。
【符号の説明】
【００１５】
１・・・第１用紙片
２・・・第２用紙片（第ｎ用紙片）
３・・・第３用紙片（第ｎ用紙片）
４・・・第４用紙片（第ｎ用紙片）
５・・・第１吊り下げ片
６・・・第２吊り下げ片
５ａ、６ａ・・・装着孔
５ｂ、６ｂ・・・切り込み
５ｃ、６ｃ・・・端辺
１０・・・ボトルネッカー
２０・・・容器
２１・・・首部
Ａ〜Ｆ・・・折線
【図１】
2005025143.tif 000003
【図２】
2005025143.tif 000004
【図３】
2005025143.tif 000005
【図４】
2005025143.tif 000006
【図５】
2005025143.tif 000007
【図６】
2005025143.tif 000008
【図７】
2005025143.tif 000009
【図８】
2005025143.tif 000010
【図９】
2005025143.tif 000011
【図１０】
2005025143.tif 000012
【図１１】
2005025143.tif 000013